(57)【要約】  ディスプレイ装置が開示される。本発明に係るディスプレイ装置は、ディスプレイと、ユーザとディスプレイ装置との間の距離を検知するためのセンサと、ディスプレイ装置を基準に距離に応じて区分される複数の領域のうち、ユーザが第１領域に存在する場合、センサから検知信号を受信するサブプロセッサと、センサ及びサブプロセッサが活性化された状態で、サブプロセッサがセンサから検知信号を受信されると、サブプロセッサによって活性化されてコンテンツをアップデートし、ユーザとディスプレイ装置との間の距離に基づいて、ユーザが複数の領域のうち、第２領域に存在すると判断されると、非活性化状態にあるディスプレイを活性化し、アップデートされたコンテンツをディスプレイするようにディスプレイを制御するプロセッサとを含む。
2019533830.tif 000002
【特許請求の範囲】
【請求項１】
ディスプレイ装置において、
ディスプレイと、
ユーザと前記ディスプレイ装置との間の距離を検知するためのセンサと、
前記ディスプレイ装置を基準に距離に応じて区分される複数の領域のうち、前記ユーザが第１領域に存在する場合、前記センサから検知信号を受信されるサブプロセッサと、
前記センサ及び前記サブプロセッサが活性化された状態で、前記サブプロセッサが前記センサから前記検知信号を受信されると、前記サブプロセッサによって活性化されてコンテンツをアップデートし、前記ユーザと前記ディスプレイ装置との間の距離に基づいて、前記ユーザが前記複数の領域のうち、第２領域に存在すると判断されると、非活性化状態にある前記ディスプレイを活性化し、前記アップデートされたコンテンツをディスプレイするように前記ディスプレイを制御するプロセッサと
を含むディスプレイ装置。
【請求項２】
前記第１領域は、
前記ディスプレイ装置を基準に前記第２領域より相対的により離れた領域であることを特徴とする請求項１に記載のディスプレイ装置。
【請求項３】
前記プロセッサは、
前記ユーザが前記第１領域に存在する時点における現在の状況に対応するように前記コンテンツをアップデートすることを特徴とする請求項１に記載のディスプレイ装置。
【請求項４】
前記プロセッサは、
前記ユーザが前記第１領域に存在すると判断されると、現在の状況に対応するコンテンツに対する伝送をサーバに要請し、前記サーバから現在の状況に対応するコンテンツを受信して前記コンテンツをアップデートすることを特徴とする請求項３に記載のディスプレイ装置。
【請求項５】
前記プロセッサは、
前記第１領域に複数のユーザが存在する場合、前記複数のユーザのうち、前記ディスプレイ装置とネットワーク接続された端末機器のユーザに対応するコンテンツをアップデートすることを特徴とする請求項１に記載のディスプレイ装置。
【請求項６】
通信部を更に含んでよく、
前記通信部は、ＩｏＴ機器とネットワークを介して接続され、
前記プロセッサは、
前記ＩｏＴ機器からセンシング信号が受信されると、前記コンテンツをアップデートすることを特徴とする請求項１に記載のディスプレイ装置。
【請求項７】
前記コンテンツは、
天気、時刻、ニュース、個人スケジュール及び交通状況に対する情報のうち、少なくとも一つを含むことを特徴とする請求項１に記載のディスプレイ装置。
【請求項８】
ディスプレイ装置の制御方法において、
ユーザと前記ディスプレイ装置との間の距離を検知するステップと、
前記ディスプレイ装置を基準に距離に応じて区分される複数の領域のうち、前記ユーザが第１領域に存在するとコンテンツをアップデートし、前記ユーザが前記複数の領域のうち、第２領域に存在すると前記アップデートされたコンテンツをディスプレイするステップと
を含むディスプレイ装置の制御方法。
【請求項９】
前記第１領域は、
前記ディスプレイ装置を基準に前記第２領域より相対的により離れた領域であることを特徴とする請求項８に記載にディスプレイ装置の制御方法。
【請求項１０】
前記コンテンツをアップデートするステップは、
前記ユーザが前記第１領域に存在する時点における現在の状況に対応するように前記コンテンツをアップデートすることを特徴とする請求項８に記載にディスプレイ装置の制御方法。
【請求項１１】
前記コンテンツをアップデートするステップは、
前記ユーザが前記第１領域に存在すると判断されると、現在の状況に対応するコンテンツに対する伝送をサーバに要請し、前記サーバから現在の状況に対応するコンテンツを受信して前記コンテンツをアップデートすることを特徴とする請求項８に記載にディスプレイ装置の制御方法。
【請求項１２】
前記コンテンツをアップデートするステップは、
前記第１領域に複数のユーザが存在する場合、前記複数のユーザのうち、前記ディスプレイ装置とネットワーク接続された端末機器のユーザに対応するコンテンツをアップデートすることを特徴とする請求項８に記載にディスプレイ装置の制御方法。
【請求項１３】
ＩｏＴ機器とネットワークを介して接続されるステップを更に含んでよく、
前記コンテンツをアップデートするステップは、
前記ＩｏＴ機器からセンシング信号が受信されると、前記コンテンツをアップデートすることを特徴とする請求項８に記載にディスプレイ装置の制御方法。
【請求項１４】
前記コンテンツは、
天気、時刻、ニュース、個人スケジュール及び交通状況に対する情報のうち、少なくとも一つを含むことを特徴とする請求項８に記載にディスプレイ装置の制御方法。
【発明の詳細な説明】
【技術分野】
【０００１】
本発明は、ディスプレイ装置及びその制御方法に関し、より詳細には、ユーザとの距離を検知するディスプレイ装置及びその制御方法に関する。
【背景技術】
【０００２】
近来、電子技術の発達により、テレビ、コンピュータ、ノートパソコンなどの多様なディスプレイ装置が開発されており、このようなディスプレイ装置は消費者のディテールな要求を満たすために、様々なコンテンツを提供している。例えば、ＤＴＶ（Ｄｉｇｉｔａｌ  Ｔｅｌｅｖｉｓｉｏｎ）などのディスプレイ装置は、様々な放送番組を高品質の画面で提供することができるだけでなく、コンピュータのようなデータ処理機能を追加することで、様々な放送サービスを提供することができるようになった。
【０００３】
ところが、ディスプレイ装置が多様な機能を提供することで、ディスプレイ装置を駆動するのに必要なブート時間が長くなるという問題が発生していた。
【０００４】
具体的に、オフ状態のディスプレイパネル装置は、ユーザによってターンオン命令が入力された時点からディスプレイパネルを駆動するための駆動動作を開始する。しかし、ディスプレイ装置が多様な機能を提供するためには、ディスプレイ装置内部に存在する複数のシステムを駆動させなければならず、それにより、テレビパネルを介して正常なテレビ画面が駆動するまでのブート時間が長くなるという問題が発生していた。
【０００５】
一方、このような問題点を解決するために、最近は、ディスプレイ装置から所定距離内でユーザが検知されると、ディスプレイに電源を予め印加するディスプレイ装置が提供されている。
【０００６】
しかし、それによると、ユーザが放送番組を視聴しようとする意図がないにもかかわらず、放送番組がディスプレイされてよく、それによって、思いのほか電力消費が嵩むという問題が生じかねない。
【０００７】
それにより、ブート時間の最小化だけでなく、放送コンテンツの他、ユーザが好むコンテンツを自動的に表示し、消費者のニーズを満たすことができるディスプレイ装置が要求されるようになっている。
【発明の概要】
【発明が解決しようとする課題】
【０００８】
そこで、本発明は、上記問題に鑑みてなされたものであり、本発明の目的とするところは、ユーザとディスプレイ装置との間の距離に基づいてコンテンツをアップデートし、アップデートされたコンテンツを自動的に表示するディスプレイ装置及びその制御方法を提供することにある。
【課題を解決するための手段】
【０００９】
前記目的を達成するための本発明の一実施形態に係るディスプレイ装置は、ディスプレイと、ユーザと前記ディスプレイ装置との間の距離を検知するためのセンサと、前記ディスプレイ装置を基準に距離に応じて区分される複数の領域のうち、前記ユーザが第１領域に存在する場合、前記センサから検知信号を受信するサブプロセッサと、前記センサ及び前記サブプロセッサが活性化された状態で、前記サブプロセッサが前記センサから前記検知信号を受信されると、前記サブプロセッサによって活性化されてコンテンツをアップデートし、前記ユーザと前記ディスプレイ装置との間の距離に基づいて、前記ユーザが前記複数の領域のうち、第２領域に存在すると判断されると、非活性化状態にある前記ディスプレイを活性化し、前記アップデートされたコンテンツをディスプレイするように前記ディスプレイを制御するプロセッサとを含む。
【００１０】
ここで、前記第１領域は、前記ディスプレイ装置を基準に前記第２領域より相対的により離れた領域であってよい。
【００１１】
そして、前記プロセッサは、前記ユーザが前記第１領域に存在する時点における現在の状況に対応するように前記コンテンツをアップデートしてよい。
【００１２】
なお、前記プロセッサは、前記ユーザが前記第１領域に存在すると判断されると、現在の状況に対応するコンテンツに対する伝送をサーバに要請し、前記サーバから現在の状況に対応するコンテンツを受信して前記コンテンツをアップデートしてよい。
【００１３】
なお、前記プロセッサは、前記第１領域に複数のユーザが存在する場合、前記複数のユーザのうち、前記ディスプレイ装置とネットワーク接続された端末機器のユーザに対応するコンテンツをアップデートしてよい。
【００１４】
そして、本発明の一実施形態に係るディスプレイ装置は、通信部を更に含んでよく、前記通信部は、ＩｏＴ（Ｉｎｔｅｒｎｅｔ  Ｏｆ  Ｔｈｉｎｇｓ）機器とネットワークを介して接続され、前記プロセッサは、前記ＩｏＴ機器からセンシング信号が受信されると、前記コンテンツをアップデートしてよい。
【００１５】
ここで、前記コンテンツは、天気、時刻、ニュース、個人スケジュール及び交通状況に対する情報のうち、少なくとも一つを含んでよい。
【００１６】
一方、本発明の一実施形態に係るディスプレイ装置の制御方法は、ユーザと前記ディスプレイ装置との間の距離を検知するステップと、前記ディスプレイ装置を基準に距離に応じて区分される複数の領域のうち、前記ユーザが第１領域に存在するとコンテンツをアップデートし、前記ユーザが前記複数の領域のうち、第２領域に存在すると前記アップデートされたコンテンツをディスプレイするステップとを含む。
【００１７】
ここで、前記第１領域は、前記ディスプレイ装置を基準に前記第２領域より相対的により離れた領域であってよい。
【００１８】
そして、前記コンテンツをアップデートするステップは、前記ユーザが前記第１領域に存在する時点における現在の状況に対応するように前記コンテンツをアップデートしてよい。
【００１９】
なお、前記コンテンツをアップデートするステップは、前記ユーザが前記第１領域に存在すると判断されると、現在の状況に対応するコンテンツに対する伝送をサーバに要請し、前記サーバから現在の状況に対応するコンテンツを受信して前記コンテンツをアップデートしてよい。
【００２０】
なお、前記コンテンツをアップデートするステップは、前記第１領域に複数のユーザが存在する場合、前記複数のユーザのうち、前記ディスプレイ装置とネットワーク接続された端末機器のユーザに対応するコンテンツをアップデートしてよい。
【００２１】
そして、本発明の一実施形態に係るディスプレイ装置の制御方法は、ＩｏＴ機器とネットワークを介して接続されるステップを更に含んでよく、前記コンテンツをアップデートするステップは、前記ＩｏＴ機器からセンシング信号が受信されると、前記コンテンツをアップデートしてよい。
【００２２】
ここで、前記コンテンツは、天気、時刻、ニュース、個人スケジュール及び交通状況に対する情報のうち、少なくとも一つを含んでよい。
【発明の効果】
【００２３】
以上説明したように、本発明によれば、最小化されたブート時間でユーザの好むコンテンツを自動的に表示するディスプレイ装置を提供することができるようになる。それにより、ユーザの便宜性が向上する。
【図面の簡単な説明】
【００２４】
【図１】本発明の一実施形態に係るディスプレイ装置の構成を説明するためのブロック図である。
【図２】本発明の一実施形態に係るディスプレイ装置とユーザとの間の距離に応じたディスプレイ装置の動作を説明するための図である。
【図３】本発明の一実施形態に係るディスプレイ装置とユーザとの間の距離に基づいてディスプレイ装置で動作されるブロックを説明するための図である。
【図４】本発明の一実施形態に係る第１領域に複数のユーザが存在する場合においてディスプレイ装置の動作を説明するための図である。
【図５】本発明の一実施形態に係るＩｏＴ機器とネットワーク接続されたディスプレイ装置の動作を説明するための図である。
【図６】本発明の一実施形態に係るディスプレイ装置の細部構成を示すブロック図である。
【図７】本発明の一実施形態に係るディスプレイ装置の制御方法を説明するためのフローチャートである。
【発明を実施するための形態】
【００２５】
まず、本明細書及び請求範囲で使用される用語は、本発明の機能を考慮して一般的な用語を選択している。しかし、このような用語は、当分野に携わる技術者の意図や法律的または技術的解釈及び新たな技術の出現などによって変わることがある。なお、一部の用語は、出願人が任意で選定した用語もある。このような用語に対しては、本明細書で定義された意味で解釈されてよく、具体的な用語定義がない場合、本明細書の全体的な内容及び当該技術分野の通常の技術常識に基づいて解釈されてよい。
【００２６】
なお、本発明を説明するうえで、関連する公知機能或いは構成に対する具体的な説明が本発明の要旨を不要に曖昧にすると判断される場合、それに対する詳細な説明は縮約か省略する。
【００２７】
更に、以下の添付部面及び添付図面に記載された内容を参照し、本発明の実施形態を詳細に説明するが、本発明が実施形態によって制限されたり限定されるものではない。
【００２８】
以下、添付の図を参照し、本発明の一実施形態に係るディスプレイ装置について説明する。
【００２９】
図１は、本発明の一実施形態に係るディスプレイ装置の構成を説明するためのブロック図である。
【００３０】
図１に示すように、本発明の一実施形態に係るディスプレイ装置１００は、センサ１１０、サブプロセッサ１２０、保存部１３０、ディスプレイ１４０及びプロセッサ１５０を含む。ここで、ディスプレイ装置１００は、テレビを含み、ディスプレイを備える携帯電話、タブレットパソコン、デジタルカメラ、カムコーダ、ノートパソコン、デスクトップ、ＰＤＡ、ＭＰ３などのような多様な電子装置で実現されてよい。
【００３１】
センサ１１０は、ユーザとディスプレイ装置１００との間の距離を検知することができる。
【００３２】
そのために、センサ１１０は、少なくとも一つのセンサを含んでよい。具体的に、センサ１１０は、ＰＩＲ（Ｐｙｒｏｅｌｅｃｔｒｉｃ  Ｉｎｆｒａｒｅｄ  Ｒａｙ）センサ、近接センサ、超音波センサ、照度センサ、加速度センサなどを含んでよい。
【００３３】
ここで、ＰＩＲセンサは、赤外線を測定し、ユーザとディスプレイ装置１００との間の距離を検知することができる。具体的に、ＰＩＲセンサは、熱エネルギーを吸収した強誘電体が自発分極を起こし、その分極の変化量に比例した電荷が保持される焦電効果現象を用いたセンサである。即ち、ＰＩＲセンサは、人体が放出する特定波長の赤外線を検知し、ユーザとディスプレイ装置１００との間の距離を検知することができる。
【００３４】
そして、近接センサは、電界の力を用いてユーザとディスプレイ装置１００との間の距離を検知することができる。例えば、近接センサは、検出原理に従って高周波発振型、静電容量型、磁気型、超音波型などの多様な形態で実現され、ユーザとディスプレイ装置１００との間の距離を検知することができる。
【００３５】
そして、超音波センサは、ディスプレイ装置１００の前方に信号を出力した後、ユーザによって反射されて入ってくる入力信号を用いて、ユーザとディスプレイ装置１００との間の距離を検知することができる。
【００３６】
そして、照度センサは、ユーザの位置する空間の輝度を測定し、照度変化が検知された場合、ユーザの動作を検知することができ、加速度センサは、ユーザの動作による加速度などの動的な力を測定してユーザの動作を検知することができる。
【００３７】
一方、上述の種類のセンサは、一実施形態に過ぎず、センサ１１０はジャイロスコープセンサ、地磁気センサ、超音波センサ、ＲＦセンサのような多様なセンサを更に含み、ユーザとディスプレイ装置１００との間の距離を検知することができることは言うまでもない。
【００３８】
ただ、図１においては、センサ１１０がディスプレイ装置１００の内部に備えられるものとして説明したが、別の実施形態によると、センサ１１０は、ディスプレイ装置１００と別途の外部センサで実現されることも可能である。この場合、ディスプレイ装置１００は、外部センサと通信し、検知信号を伝送されることができる。
【００３９】
センサ１１０は、ディスプレイ装置１００を基準に距離に応じて区分される複数の領域のうち、ユーザが第１領域に存在すると検知されると、検知信号を発生し、サブプロセッサ１２０に伝送することができる。例えば、第１領域は、ディスプレイ装置１００を基準に予め設定された距離以上離隔している領域であってよい。
【００４０】
ここで、検知信号は、インタラプト信号であってよい。具体的に、検知信号は、サブプロセッサ１２０がインタラクトルーチンによって動作するようにするインタラクト信号であってよい。ここで、インタラプトルーチンは、サブプロセッサ１２０がプロセッサ１５０に提供される電源を制御する制御信号をプロセッサ１５０に伝送するようにする命令語集合であってよい。
【００４１】
一方、ディスプレイ装置１００を基準に距離に応じて区分される複数の領域は、ユーザによって設定されてよい。それに関する具体的な説明は、後述することとする。
【００４２】
サブプロセッサ１２０は、センサ１１０から検知信号が受信されると、プロセッサ１５０に提供される電源を制御することができる。具体的に、サブプロセッサ１２０は、上述のインタラクト処理ルーチンに応じてプロセッサ１５０に電源を印加する制御信号を伝送し、プロセッサ１５０を活性化させることができる。
【００４３】
より具体的に、サブプロセッサ１２０は、プロセッサ１５０の電源がオフになっている状態で、センサ１１０から検知信号が受信されると、プロセッサ１５０に電源を印加するように制御し、プロセッサ１５０にブート信号を伝送してプロセッサ１５０を活性化させることができる。
【００４４】
そのために、サブプロセッサ１２０は、プロセッサ１５０及びディスプレイ１４０が活性化されていない状態でも、センサ１１０とともに活性化された状態を保持することができる。具体的に、プロセッサ１５０及びディスプレイ１４０には駆動電源が提供されてないため活性化されていない状態でも、センサ１１０は、ユーザとディスプレイ装置１００との間の距離を引き続き検知するために、活性化された状態を保持し、サブプロセッサ１２０はセンサ１１０から検知信号を受信し、検知信号が受信されるとプロセッサ１５０を活性化させるために、引き続き活性化された状態を保持することができる。
【００４５】
そのために、サブプロセッサ１２０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を含み、センサ１１０の制御に関する演算や、データ処理を実行することができる。例えば、サブプロセッサ１２０はＭＣＵ（Ｍｉｃｒｏ  Ｃｏｎｔｒｏｌｌｅｒ  Ｕｎｉｔ）で実現されてよい。
【００４６】
保存部１３０は、多様なコンテンツを保存することができる。ここで、コンテンツは、天気、時刻、ニュース、個人スケジュール及び交通状況などのような多様なコンテンツ、多様なコンテンツを含むアプリケーションなどを含んでよい。
【００４７】
なお、保存部１３０は、コンテンツを複数のユーザにそれぞれ対応するように保存することができる。ここで、それぞれのコンテンツをユーザにマッピングさせて保存するために、それぞれのユーザの携帯端末機器情報（例えば、ディスプレイ装置１００と無線通信で接続された履歴のある携帯端末機器のＩＰアドレス、ＭＡＣアドレス）と連携してそれぞれのコンテンツを保存することができる。
【００４８】
ただ、ディスプレイ装置１００がユーザ情報を獲得した場合、ユーザ情報に基づいてユーザに対応するコンテンツを自動で選択して保存されることも可能である。例えば、ユーザの性別、年齢などの情報に基づいて、対応するコンテンツを外部サーバから受信して各ユーザにマッピングさせて保存することができる。
【００４９】
一方、保存部１３０は、多様な保存媒体で実現されてよい。例えば、保存部１３０は、ＲＯＭ、ＰＲＯＭ（Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、フラッシュメモリのような非揮発性メモリ素子、またはＲＡＭのような揮発性メモリ素子、ハードディスクまたは光ディスクなどのような保存装置で実現されてよい。
【００５０】
ディスプレイ１４０は、多様なコンテンツ画面を提供することができる。ここで、コンテンツ画面は、放送コンテンツ画面の他にも、天気、時刻、ニュース、個人スケジュール及び交通状況などのような多様なコンテンツであってよい。
【００５１】
一方、ディスプレイ１４０は、ＬＣＤ（Ｌｉｑｕｉｄ  Ｃｒｙｓｔａｌ  Ｄｉｓｐｌａｙ  Ｐａｎｅｌ）、ＯＬＥＤ（Ｏｒｇａｎｉｃ  Ｌｉｇｈｔ  Ｅｍｉｔｔｉｎｇ  Ｄｉｏｄｅｓ）、ＬＣｏＳ（Ｌｉｑｕｉｄ  Ｃｒｙｓｔａｌ  ｏｎ  Ｓｉｌｉｃｏｎ）、ＤＬＰ（Ｄｉｇｉｔａｌ  Ｌｉｇｈｔ  Ｐｒｏｃｅｓｓｉｎｇ）などのような多様なディスプレイで実現されてよい。なお、ディスプレイ１４０内には、ａ−ｓｉ  ＴＦＴ、ＬＴＰＳ（Ｌｏｗ  Ｔｅｍｐｅｒａｔｕｒｅ  Ｐｏｌｙ  Ｓｉｌｉｃｏｎ）  ＴＦＴ、ＯＴＦＴ（Ｏｒｇａｎｉｃ  ＴＦＴ）などのような形態で実現できる駆動回路、バックライトユニットなども一緒に含まれてよい。
【００５２】
プロセッサ１５０は、ディスプレイ装置１００の動作全般を制御する。
【００５３】
そのために、プロセッサ１５０は、ＣＰＵ、ＲＡＭ及びＲＯＭを含み、ディスプレイ装置１００に含まれた別の構成要素の制御に関する演算やデータ処理を実行することができる。例えば、プロセッサ１５０は、ＳｏＣ（Ｓｙｓｔｅｍ  ｏｎ  Ｃｈｉｐ）で実現されてよい。
【００５４】
まず、プロセッサ１５０は、センサ１１０及びサブプロセッサ１２０が活性化された状態でサブプロセッサ１２０がセンサ１１０から検知信号を受信すると、サブプロセッサ１２０によって活性化される。
【００５５】
具体的に、センサ１１０及びサブプロセッサ１２０は活性化されており、プロセッサ１５０及びディスプレイ１４０は非活性化状態、例えば、オフ状態でサブプロセッサ１２０はセンサ１１０から検知信号が受信されると、プロセッサ１５０に印加される電源を制御し、即ち、プロセッサ１５０に電源を印加してプロセッサ１５０を活性化させることができる。
【００５６】
そして、活性化されたプロセッサ１５０は、ディスプレイ装置１００を基準に距離を応じて区分される複数の領域のうち、ユーザの存在する位置に応じて異なる動作を行うことができる。
【００５７】
具体的に、図２を参照し、ユーザとディスプレイ装置との間の距離に応じたプロセッサ１５０の動作について具体的に説明する。
【００５８】
図２は、本発明の一実施形態に係るディスプレイ装置とユーザとの間の距離に応じたディスプレイ装置の動作を説明するための図である。
【００５９】
まず、プロセッサ１５０は、センサ１１０からユーザとディスプレイ装置１００との間の距離に関する情報を受信することがえきる。具体的に、プロセッサ１５０は、サブプロセッサ１２０によって活性化されると、ユーザとディスプレイ装置１００との間の距離に関する情報をセンサ１１０から受信することができる。
【００６０】
そして、プロセッサ１５０は、センサ１１０から受信した距離情報に基づいて、ディスプレイ装置１００を基準に距離に応じて区分される複数の領域のうち、ユーザの存在する領域を判断する。
【００６１】
ここで、複数の領域は、ユーザによって予め設定されてよい。例えば、ユーザは第１領域及び第２領域を設定することができ、第１領域はディスプレイ装置１００を基準に第２領域より相対的に離れた領域であってよい。
【００６２】
例えば、図２を参照すると、複数の領域はディスプレイ装置１００を基準にＡ（ｍ）以下でかつＢ（ｍ）超過の範囲である第１領域、ディスプレイ装置１００を基準にＢ（ｍ）以下の範囲である第２領域及びディスプレイ装置１００を基準にＡ（ｍ）超過の範囲である第１領域の超過範囲を含むことができる。以下では、説明の便宜のために、図２のように複数の領域が区分されるものとして想定して説明する。
【００６３】
一方、プロセッサ１５０は、ユーザとディスプレイ装置１００との間の距離に関する情報をユーザが第１領域以内で検知された場合にのみ受信することができる。上述のように、ユーザが第１領域以内で検知された場合にのみ、センサ１１０が検知信号を発生してサブプロセッサ１２０に伝送し、それによってプロセッサ１５０が活性化され得るためである。即ち、第１領域を超過する範囲でユーザが存在する間は、プロセッサ１５０は活性化状態（または、オフ状態）を保持している。
【００６４】
プロセッサ１５０は、ユーザが第１領域に存在すると判断されると、コンテンツをアップデートすることができる。ここで、コンテンツは、ユーザによって保存部１３０に保存された天気、時刻、ニュース、個人スケジュール及び交通情報などのような様々なコンテンツであってよい。ただ、それに限定されるものではなく、コンテンツはディスプレイ装置１００そのものに予め保存されている商品広告コンテンツや、外部サーバから受信した多様な背景画像関連コンテンツになることができる。
【００６５】
ここで、プロセッサ１５０は、ユーザが第１領域に存在する時点における現在の状況（例えば、天気、時刻、場所なそ）に対応するようにコンテンツをアップデートすることができる。例えば、コンテンツが交通情報コンテンツであり、現在の状況が午前７時である場合、プロセッサ１５０は現在の状況である午前７時の状況に対応するように交通情報をアップデートすることができる。なお、コンテンツが天気情報コンテンツであり、現在の状況が午後９時である場合、プロセッサ１５０は現在の状況である午後９時に対応するように天気情報をアップデートすることができる。同じく、別の多様なコンテンツの場合にも、プロセッサ１５０はユーザが第１領域に存在する時点における現在の状況に対応するようにコンテンツをアップデートすることができる。
【００６６】
そのために、プロセッサ１５０は、ユーザが第１領域に存在すると判断されると、現在の状況に対応するコンテンツに対する伝送をサーバに要請し、サーバから現在の状況に対応するコンテンツを受信してコンテンツをアップデートすることができる。
【００６７】
具体的に、プロセッサ１５０は、ユーザが第１領域に存在すると判断されると、ユーザが第１領域に存在する時点の時刻、天気などの情報に対応するコンテンツに対する伝送をサーバに要請し、サーバから現在の時点に対応するコンテンツを受信してコンテンツをアップデートすることができる。
【００６８】
その後、プロセッサ１５０は、ユーザが第２領域に存在すると判断されると、非活性化状態にあるディスプレイ１４０を活性化してアップデートされたコンテンツをディスプレイするようにディスプレイ１４０を制御することができる。
【００６９】
そのために、プロセッサ１５０は、センサ１１０から引き続きユーザとディスプレイ装置１００との間の距離に関する情報を受信することができる。それにより、プロセッサ１５０は、センサ１１０から受信した情報によってユーザが第２領域に存在すると判断されると、非活性化状態にあるディスプレイ１４０を活性化してアップデートされたコンテンツをディスプレイするようにディスプレイ１４０を制御することができる。
【００７０】
具体的に、プロセッサ１５０は、ユーザが第２領域に存在すると判断されると、オフ状態のディスプレイ１４０に電源を提供するように制御し、ディスプレイ１４０を活性化させることができる。そして、プロセッサ１５０は、ディスプレイ１４０がアップデートされたコンテンツをディスプレイできるように制御することができる。一方、ディスプレイされるコンテンツは、アップデートされたコンテンツに限らず、ディスプレイ装置１００そのものに予め保存されている商品広告コンテンツや外部サーバから受信した多様な背景画像関連コンテンツであってよく、放送番組であることも可能である。
【００７１】
一方、プロセッサ１５０は、予め設定された時間毎にユーザとディスプレイ装置１００との間の距離を判断することができる。ここで、予め設定された時間は、ユーザによって定められたり、デフォルトに設定された情報によって定められてよい。仮に、１０秒毎にユーザとディスプレイ装置１００との間の距離を判断するようにユーザ（又は、メーカー）によって設定された場合、プロセッサ１５０は１０秒毎にユーザとディスプレイ装置１００との間の距離を判断することができる。
【００７２】
このとき、プロセッサ１５０は、第２領域に存在していたユーザが第１領域に移動したと判断されると、ディスプレイ１４０に提供される電源を制御してディスプレイ１４０をオフにさせることもできる。
【００７３】
図３は、本発明の一実施形態に係るディスプレイ装置とユーザとの間の距離に基づいてディスプレイ装置で動作されるブロックを説明するための図である。
【００７４】
本発明の一実施形態に係るディスプレイ装置１００は、ユーザが第１領域を超過する範囲に存在する場合、センサ１１０、サブプロセッサ１２０及び保存部１３０を駆動することができる。即ち、センサ１１０によってユーザの位置が第１領域を超過する範囲でのみ検知される場合、ディスプレイ装置１００はディスプレイ１４０及びプロセッサ１０５は、オフ状態を保持するインスタントオンモード（Ｉｎｓｔａｎｔ  Ｏｎ  Ｍｏｄｅ）で動作することができる。このようなインスタントオンモードにおいて、ディスプレイ１４０及びプロセッサ１５０に電源が印加されないため、ディスプレイ装置１００は最小電力のみを消費するようになる。
【００７５】
そして、センサ１１０によってユーザが第１領域に存在すると検知される場合、サブプロセッサ１２０によってプロセッサ１５０が活性化されてよい。それにより、プロセッサ１５０は、コンテンツをアップデートしてディスプレイ１４０を介してアップデートされたコンテンツをディスプレイする用意をしている。
【００７６】
その後、センサ１１０によってユーザが第２領域に存在すると検知される場合、プロセッサ１５０によってディスプレイ１４０が活性化されてよい。それにより、ディスプレイ１４０はアップデートされたコンテンツをディスプレイすることができる。
【００７７】
このように、ディスプレイ装置１００は、ユーザの検知された領域に応じて駆動される構成を異ならせてよい。それにより、ディスプレイ装置をオンキーまたはリセットキーを押すことで、運営体制を稼働させるコールドブートよりブート所要時間を軽減させることができる。
【００７８】
具体的に、ディスプレイ装置１００は、ユーザが第１領域で検知されると、プロセッサ１５０を予め駆動することができる。このように、プロセッサ１５０が予め駆動された状態でユーザが第２領域で検知されると、ディスプレイ装置１００はディスプレイ１４０のみを駆動させるものであるため、ディスプレイパネルがオンになるまでの時間である、ユーザが体感するブート所要時間をコールドブートにおけるブート所要時間より減少させることができるという効果がある。
【００７９】
図４は、本発明の一実施形態に係る第１領域に複数のユーザが存在する場合においてディスプレイ装置の動作を説明するための図である。
【００８０】
プロセッサ１５０は、第１領域に複数のユーザが存在する場合、複数のユーザのうち、ディスプレイ装置１００とネットワーク接続された端末機器２００のユーザに対応するコンテンツをアップデートすることができる。
【００８１】
具体的に、プロセッサ１５０は、第１領域に複数のユーザが存在する場合、複数のユーザのうち、ディスプレイ装置１００とＷｉ−Ｆｉまたはブルートゥース（登録商標）などのネットワークで接続された端末機器２００を判断することができる。このために、ディスプレイ装置１００は、ＷＩ−Ｆｉチップ、ブルートゥースチップ、無線通信チップ、ＮＦＣチップなど、多様な通信チップを含んでよい。
【００８２】
そして、プロセッサ１５０は、ネットワークで接続された端末機器２００のユーザに対応するコンテンツをアップデートすることができる。具体的に、プロセッサ１５０は、ディスプレイ装置１００とネットワークで接続された端末機器２００を第１領域のユーザが所持する端末機器と判断し、保存部１３０に保存された端末機器の情報に基づいて端末機器２００に対応するコンテンツをアップデートすることができる。
【００８３】
そして、プロセッサ１５０は、端末機器２００を所持するユーザが第２領域に存在すると判断される場合、アップデートされたコンテンツをディスプレイするようにディスプレイ１４０を制御することができる。
【００８４】
それにより、本発明の一実施形態に係るディスプレイ装置１００は、ネットワークで接続された端末機器２００を所持したユーザ及び不特定多数の人が第１領域で検知された場合、端末機器２００を所持したユーザとディスプレイ装置１００との間の距離に応じてコンテンツをアップデートしてディスプレイすることができるという点において、コンテンツが個人的な情報（例えば、個人スケジュール）を含む場合において、それを露出させないようにディスプレイ装置１００を制御することができるという効果がある。
【００８５】
ディスプレイ装置１００にネットワークで接続された端末機器２００に対応するコンテンツをアップデートしてディスプレイすることができる。
【００８６】
図５は、本発明の一実施形態に係るＩｏＴ機器とネットワーク接続されたディスプレイ装置の動作を説明するための図である。
【００８７】
本発明の一実施形態に係るディスプレイ装置１００は、ＩｏＴ機器とネットワークを介して接続されてよい。例えば、ＩｏＴ機器は、玄関ドアのドアロック装置３００であってよい。ただ、それに限らずに、ＩｏＴ機器は、エアコン、照明機器、コンピュータなど、多様な電子装置も可能である。そのために、ディスプレイ装置１００は、ＩｏＴ機器とネットワーク接続された通信部（図示せず）を更に含んでよい。
【００８８】
そして、プロセッサ１５０は、ＩｏＴ機器３００からセンシング信号が受信されると、コンテンツをアップデートすることができる。具体的に、ユーザが玄関ドアのドアロック装置３００をオープンすると、ドアロック装置３００はセンシング信号をＩｏＴ管理サーバ（図示せず）に送信することができる。そして、ＩｏＴ管理サーバ（図示せず）によってセンシング信号がディスプレイ装置の通信部（図示せず）を介して送信されると、プロセッサ１５０はユーザが第１領域にあることと判断し、コンテンツをアップデートすることができる。
【００８９】
その後、プロセッサ１５０は、ユーザが予め設定された領域に存在すると判断されると、アップデートされたコンテンツをディスプレイするようにディスプレイ１４０を制御することができる。ここで、予め設定された領域は、ディスプレイ装置１００を基準に一定距離以上に離隔している領域であってよい。
【００９０】
即ち、本発明の一実施形態に係るディスプレイ装置１００がＩｏＴ機器３００とネットワークを介して接続されて動作する場合には、ユーザによるＩｏＴ機器３００の操作（例えば、玄関ドアのドアロック装置に暗証番号を入力）をコンテンツをアップデートする領域である図２の第１領域と見なすことができ、予め設定された領域をアップデートされたコンテンツをディスプレイする図２の第２領域と見なすことができる。
【００９１】
それにより、本発明の一実施形態に係るディスプレイ装置は、ＩｏＴ機器、例えば、玄関ドアのドアロック装置３００の動作によって予めプロセッサ１５０を稼働させてコンテンツをアップデートすることができる点において、予め設定された領域に入ってきたユーザの立場ではブート所要時間がより短くなったことを体感できるという効果がある。
【００９２】
図６は、本発明の一実施形態に係るディスプレイ装置の細部構成を示すブロック図である。
【００９３】
図６に示すように、本発明の一実施形態に係るディスプレイ装置１００’は、センサ１１０、サブプロセッサ１２０、保存部１３０、ディスプレイ１４０、プロセッサ１５０、通信部１６０、インターフェース１７０、オーディオ処理部１８０、ビデオ処理部１９０及び電源供給部１９５を含む。以下では、図１における説明と重複する部分に対する説明は省略する。
【００９４】
保存部１３０は、ディスプレイ装置１００’の構成要素の動作全般を制御するための運営体制（Ｏｐｅｒａｔｉｏｎ  Ｓｙｓｔｅｍ：ＯＳ）及びディスプレイ装置１００’の構成要素に関連する命令またはデータを保存することができる。
【００９５】
それにより、プロセッサ１５０は、保存部１３０に保存された多様な命令またはデータなどを用いて、ディスプレイ装置１００’の複数のハードウェアまたはソフトウェア構成要素を制御することができ、別の構成要素のうち、少なくとも一つから受信された命令またはデータを揮発性メモリにロードして処理し、多様なデータを非揮発性メモリに保存することができる。特に、保存部１３０は、本発明の一実施形態に係る天気、時刻、ニュース、個人スケジュール及び交通状況に対するコンテンツを保存することができる。
【００９６】
プロセッサ１５０は、ディスプレイ装置１００’の動作全般を制御する構成である。
【００９７】
具体的に、プロセッサ１５０は、ＲＡＭ１１１、ＲＯＭ１５２、グラフィック処理部１５３、メインＣＰＵ１５４、第１ないし第ｎインターフェース１５５−１〜１５５−ｎ及びバス１５６を含む。ここで、ＲＡＭ１５１、ＲＯＭ１５２、グラフィック処理部１５３、メインＣＰＵ１５４、第１ないし第ｎインターフェース１５５−１〜１５５−ｎなどは、バス１５６を介して相互接続されてよい。
【００９８】
第１ないし第ｎインターフェース１５５−１〜１５５−ｎは、上述の各種構成要素と接続される。インターフェースのうちの一つは、ネットワークを介して外部装置と接続されるネットワークインターフェースであってよい。
【００９９】
メインＣＰＵ１３４は、保存部１３０にアクセスし、保存部１３０に保存されたＯ／Ｓを用いてブートを行う。そして、メインＣＰＵ１３４は、保存部１３０に保存された各種プログラム、コンテンツ及びデータなどを用いて多様な動作を行うことができる。
【０１００】
ＲＡＭ１５１には、システムブートのための命令語セットなどが保存される。ターンオン命令が入力されて電源が供給されると、メインＣＰＵ１５４はＲＯＭ１５２に保存された命令語に応じて保存部１３０に保存されたＯ／ＳをＲＡＭ１５１にコピーし、Ｏ／Ｓを実行させてシステムをブートさせる。ブートが完了すると、メインＣＰＵ１５４は保存部１３０に保存された各種プログラムをＲＡＭ１５１にコピーし、ＲＡＭ１５１にコピーされたプログラムを実行させて各種動作を行う。
【０１０１】
グラフィック処理部１５３は、演算部（図示せず）及びレンダリング部（図示せず）を用いてアイコン、イメージ、テキストなどのような多様なオブジェクトを含む画面、例えば、ポインティングオブジェクトを含む画面を生成する。演算部（図示せず）は、受信された制御命令に基づいて画面のレイアウトに応じて各オブジェクトが表示される座標値、形態、大きさ、カラーなどのような属性値を演算する。レンダリング部（図示せず）は、演算部（図示せず）で演算した属性値に基づいてオブジェクトを含む多様なレイアウトの画面を生成する。レンダリング部（図示せず）で生成された画面は、ディスプレイ１４０のユーザインターフェース領域内に表示される。
【０１０２】
通信部１６０は、放送コンテンツ（または、放送信号）を受信することができる。放送コンテンツは、映像、オーディオ及び付加データ（例えば、ＥＰＧ）を含んでよく、通信部１６０は、地上波放送、ケーブル放送、衛星放送、インターネット放送などのように、多様なソースから放送コンテンツを受信することができる。例えば、通信部１６０は、放送局から伝送される放送コンテンツを受信するためにチューナ（図示せず）、復調器（図示せず）、等化器（図示せず）などのような構成を含む形態で実現されてよい。なお、通信部１６０は、ＩｏＴ機器とネットワークを介して接続されてセンシング信号を受信することができる。
【０１０３】
インターフェース１７０は、多様な別の電子装置（図示せず）とディスプレイ装置１００’を接続する。この場合、プロセッサ１５０は、インターフェース１７０を介してディスプレイ装置１００’に予め保存されていたデータを別の電子装置（図示せず）に伝送したり、電子装置（図示せず）からデータを受信されることができる。
【０１０４】
そのために、インターフェース１７０は、ＨＤＭ（Ｈｉｇｈ−Ｄｅｆｉｎｉｔｉｏｎ  Ｍｕｌｔｉｍｅｄｉａ  Ｉｎｔｅｒｆａｃｅ）入力端子、コンポーネント入力端子、ＰＣ入力端子、またはＵＳＢ入力端子のうち、少なくとも一つを含んでよい。
【０１０５】
オーディオ処理部１８０は、オーディオデータに対する処理を行う構成要素である。
【０１０６】
ビデオ処理部１９０は、コンテンツに対するデコード、スケーリング、ノイズフィルタリング、フレームレート変換、解像度変換などのような多様なイメージ処理を行う構成要素である。
【０１０７】
電源供給部１９５は、ディスプレイ装置１００’の細部構成に電源を供給することができる。
【０１０８】
具体的に、電源供給部１９５は、上述の第１領域を超過する範囲ではプロセッサ１５０及びディスプレイ１４０には電源を供給せずに、センサ１１０およびサブプロセッサ１２０に電源を供給することができる。一方、センサ１１０及びサブプロセッサ１２０の動作のために、駆動が必要な別の構成にも電源を供給することができることは言うまでもない。それにより、プロセッサ１５０及びディスプレイ１４０が非活性化（または、オフ）になっている状態で、センサ１１０はユーザとディスプレイ装置１００との間の距離を引き続き検知することができ、サブプロセッサ１２０はセンサ１１０から発生する検知信号を受信することができる。
【０１０９】
そして、電源供給部１９５は、上述の第１領域でユーザが検知される場合、プロセッサ１５０に電源を供給することができる。一方、プロセッサ１５０の動作のために、駆動が必要な別の構成にも電源を供給することができる。それにより、プロセッサ１５０は活性化され、ユーザとディスプレイ装置１００との間の距離を判断し、ユーザが第１領域に存在すると判断されると、コンテンツをアップデートすることができる。ただ、電源供給部１９５は、第１領域を超過する範囲でユーザが検知された場合と同様に、ディスプレイ１４０には電源を供給せずに、それによってディスプレイはオフ状態を保持することができる。
【０１１０】
そして、電源供給部１９５は、上述の第２領域でユーザが検知される場合、ディスプレイ１４０に電源を供給することができる。それにより、ディスプレイ１４０は、アップデートされたコンテンツまたは放送コンテンツなどをディスプレイすることができる。
【０１１１】
図７は、本発明の一実施形態に係るディスプレイ装置の制御方法を説明するためのフローチャートである。
【０１１２】
まず、ディスプレイ装置は、ユーザとディスプレイ装置との間の距離を検知する（Ｓ７１０）。
【０１１３】
そして、ユーザが第１領域に存在するかを判断する（Ｓ７２０）。このとき、ユーザが第１領域に存在しないと判断されると、再びユーザとディスプレイ装置との間の距離を検知し、第１領域に存在すると判断されると、コンテンツをアップデートする（Ｓ７３０）。
【０１１４】
そして、ユーザが第２領域に存在するかを判断する（Ｓ７４０）。そのために、ディスプレイ装置は、引き続きユーザとディスプレイ装置との間の距離を検知することができる。このとき、ユーザが第２領域に存在しないと判断されると、ユーザが第１領域に存在するかを判断して上述の過程を繰り返し、第２領域に存在すると判断されると、アップデートされたコンテンツをディスプレイする（Ｓ７５０）。
【０１１５】
一方、上述の本発明の多様な実施形態に係る方法は、従来のディスプレイ装置に対するソフトウェア／ハードウェアアップグレードだけでも実現できる。
【０１１６】
なお、上述の本発明の多様な実施形態は、ディスプレイ装置に備えられた埋め込みサーバ、または外部のサーバを介して行われることも可能である。
【０１１７】
上述の多様な実施形態に係るディスプレイ装置の制御方法は、プログラムで実現されて多様な記録媒体に保存されてよい。即ち、各種プロセッサによって処理され、上述の多様な制御方法を実行できるコンピュータプログラムが記録媒体に保存された状態で使用されてよい。
【０１１８】
一例として、ユーザとディスプレイ装置との間の距離を受信するステップと、ユーザが第１領域に存在する場合、コンテンツをアップデートするステップと、ユーザが第２領域に存在する場合、アップデートされたコンテンツをディスプレイするステップを実行するプログラムが保存された非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１１９】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１２０】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
2019533830.tif 000003
【図２】
2019533830.tif 000004
【図３】
2019533830.tif 000005
【図４】
2019533830.tif 000006
【図５】
2019533830.tif 000007
【図６】
2019533830.tif 000008
【図７】
2019533830.tif 000009
【国際調査報告】
2019533830.tif 000010
2019533830.tif 000011
2019533830.tif 000012
2019533830.tif 000013